(57)【要約】【課題】ユーザの要求に応じて、より適切に著作物の画像を形成することができる画像形成装置を提供する。【解決手段】画像形成の要求を受付けると、画像の読取りを開始する（Ｓ１１、Ｓ１２）。次に、画像形成の要求が著作物の画像の一部であるか否かを判断する（Ｓ１３）。画像形成の要求が著作物の一部であると判断すれば（Ｓ１３において、ＹＥＳ）、課金額を変更する（Ｓ１４）。その後、変更した課金額に応じた課金の支払いが行なわれたか否かを検知する（Ｓ１５）。課金の支払いがなされれば（Ｓ１５において、ＹＥＳ）、画像形成の要求に応じて、著作物の一部の画像の形成を行う（Ｓ１６）。【選択図】図２
2010010935.tif 000002
【特許請求の範囲】
【請求項１】
課金により著作物の画像の形成を可能とする画像形成装置であって、
画像形成の要求が、著作物の画像の一部であるか否かを判断する判断手段と、
前記判断手段により画像形成の要求が著作物の画像の一部であると判断すれば、課金額を変更する変更手段とを備える、画像形成装置。
【請求項２】
前記変更手段は、著作物の画像の全体のうち、画像形成の要求がなされた著作物の画像の割合を基に前記課金額を変更する、請求項１に記載の画像形成装置。
【請求項３】
前記課金額に応じて、著作物の画像の形成可能な領域を表示する表示手段を備える、請求項１または２に記載の画像形成装置。
【請求項４】
前記課金額に応じて、著作物の画像の全体のうち、形成する画像の領域を指定させる指定手段を備える、請求項１〜３のいずれかに記載の画像形成装置。
【発明の詳細な説明】
【技術分野】
【０００１】
この発明は、画像形成装置に関するものであり、特に、課金により著作物の画像の形成を可能とする画像形成装置に関するものである。
【背景技術】
【０００２】
一般的な画像形成装置は、画像読取り部で原稿の画像を読取った後、読取った画像を基に、画像の形成を行う。ここで、読取った画像の中に著作物が含まれる場合、課金の支払いを行って画像を形成することがある。すなわち、著作物の画像形成における利用に際して、課金により料金を徴収する場合がある。この場合、課金装置を画像形成装置に設け、課金装置においてユーザによる課金の支払いがなされれば、画像形成を許可して、著作物を含んだ画像形成を行う。
【０００３】
ここで、著作物を含んだ画像の画像形成に関する技術が、特開２００７−１０４４９９号公報（特許文献１）、特開２０００−１９６７８６号公報（特許文献２）、および特開２００４−３３４３８０号公報（特許文献３）に開示されている。特許文献１によると、読取った画像の劣化状況によりそのままの再現を許可するか否かを決定し、許可された場合には、複製を作成する。一方、許可されなければ、修復された画像により複製を作成している。こうすることにより、劣化した著作権画像の流通を防止することとしている。特許文献２によると、著作権を有するデータである場合には、コピー禁止情報を付加することとし、印刷物のコピーに制限を加えることとしている。特許文献３によると、著作物に管理コードを付帯させ、これにより、著作物の存在と利用の状態を、ネットワークを通して把握することとしている。
【特許文献１】特開２００７−１０４４９９号公報
【特許文献２】特開２０００−１９６７８６号公報
【特許文献３】特開２００４−３３４３８０号公報
【発明の開示】
【発明が解決しようとする課題】
【０００４】
特許文献１〜特許文献３に開示された技術では、著作物の画像を一体として、利用等を行なっている。すなわち、著作物の画像の全体を課金対象とし、複製や出力の許可を行なうこととしている。しかし、ユーザによっては、著作物の画像の一部を複製等して利用したい場合がある。このような場合においても、上記した特許文献１〜特許文献３に開示の技術では、著作物の画像の全体に対しての課金額を支払わなければならず、著作物の画像の一部を利用したいユーザの要求に適切に応えることができない。このような状況は、著作者にとっても好ましくない。
【０００５】
この発明の目的は、ユーザの要求に応じて、より適切に著作物の画像を形成することができる画像形成装置を提供することである。
【課題を解決するための手段】
【０００６】
この発明に係る画像形成装置は、課金により著作物の画像の形成を可能とする。画像形成装置は、画像形成の要求が、著作物の画像の一部であるか否かを判断する判断手段と、判断手段により画像形成の要求が著作物の画像の一部であると判断すれば、課金額を変更する変更手段とを備える。なお、ここでいう課金とは、著作物の利用に応じた対価のことを指す。
【０００７】
好ましくは、変更手段は、著作物の画像の全体のうち、画像形成の要求がなされた著作物の画像の割合を基に課金額を変更する。
【０００８】
さらに好ましくは、課金額に応じて、著作物の画像の形成可能な領域を表示する表示手段を備える。
【０００９】
さらに好ましくは、課金額に応じて、著作物の画像の全体のうち、形成する画像の領域を指定させる指定手段を備える。
【発明の効果】
【００１０】
この発明によると、画像形成の要求が著作物の一部であるか否かを判断し、著作物の一部である場合には、課金額を変更する。そうすると、ユーザが著作物の一部の画像を形成するに際し、適切な課金額で画像を形成することができる。したがって、ユーザの要求に応じて、より適切に著作物の画像を形成することができる。
【発明を実施するための最良の形態】
【００１１】
以下、この発明の実施の形態を、図面を参照して説明する。図１はこの発明の一実施形態に係る画像形成装置をデジタル複合機１０に適用した場合のデジタル複合機１０の構成を示すブロック図である。図１を参照して、デジタル複合機１０は、デジタル複合機１０全体を制御する制御部１１と、画像データ等の書込みや読出しを行うためのＤＲＡＭ１２と、デジタル複合機１０の有する情報を表示する表示画面２３を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置で読取る画像読取り部１５と、画像読取り部１５で読取られた原稿等からその画像を形成し、用紙に出力する画像形成部１６と、画像データ等を格納するハードディスク１７と、公衆回線２０に接続されるＦＡＸ通信部１８と、ネットワーク２１と接続するためのネットワークＩＦ（インターフェース）部１９とを含む。なお、操作部１３に含まれる表示画面２３は、液晶パネルであり、タッチパネル形式となっている。
【００１２】
制御部１１は、画像読取り部１５から出力される原稿データをＤＲＡＭ１２に圧縮符号化して書き込み、ＤＲＡＭ１２に書き込んだデータを読出し、伸張符号化して画像形成部１６により出力する。
【００１３】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。
【００１４】
なお、図１において太線の矢印は画像データの流れを示しており、細線の矢印は制御信号または制御データの流れを示している。
【００１５】
デジタル複合機１０は、画像読取り部１５で読取った画像の中に、著作物の画像があるか否か、すなわち、原稿の画像の中に著作物の画像が含まれているか否かを識別することができる。この識別は、例えば、ハードディスク１７に予め格納された複数の著作物の画像と、画像読取り部１５により読取った画像とが同じか否かにより行なう。なお、画像読取り部１５は、例えば、ＣＣＤ（Ｃｈａｒｇｅ  Ｃｏｕｐｌｅｄ  Ｄｅｖｉｃｅ）やＣＩＳ（Ｃｏｎｔａｃｔ  Ｉｍａｇｅ  Ｓｅｎｓｏｒ：密着型イメージセンサ）により画像を読取る。
【００１６】
また、デジタル複合機１０は、著作物の画像を形成する際に課金を支払わせる課金装置２４を備える。著作物の画像を形成する際に、ユーザは、まず、課金装置２４により課金を支払う。課金額は、画像を形成する著作物に応じて予め定められている。デジタル複合機１０は、課金装置２４による課金の支払いを確認した後、著作物の画像の形成を許可する。その後、著作物の画像を形成する。すなわち、デジタル複合機１０は、著作物の画像を課金対象とするものであり、課金により著作物の画像の形成が可能になる。
【００１７】
次に、この発明の一実施形態に係るデジタル複合機１０において、著作物の一部の画像を形成する場合について説明する。図２は、この場合における制御部１１の動作を示すフローチャートである。
【００１８】
図１〜図２を参照して、まず、ユーザは、画像の中に著作物を含む原稿を原稿送り装置１４にセットする。そして、画像形成の要求を行なう。この場合の画像形成の要求は、著作物の一部の画像形成の要求である。
【００１９】
画像形成の要求を受付けると（図２において、ステップＳ１１、以下、ステップを省略する）、画像読取り部１５における画像の読取りを開始する（Ｓ１２）。次に、画像形成の要求が著作物の画像の一部であるか否かを判断する（Ｓ１３）。ここで、制御部１１は、判断手段として作動する。
【００２０】
画像形成の要求が著作物の一部であると判断すれば（Ｓ１３において、ＹＥＳ）、課金額を変更する（Ｓ１４）。この場合、著作物の画像の全体のうち、画像形成の要求がなされた著作物の画像の割合を基に課金額を変更する。具体的には、画像形成の要求が、著作物の画像の全体のうちの３割であれば、著作物の画像の全体の課金額の３割の課金額に変更する。ここで、制御部１１等は、変更手段として作動する。その後、変更した課金額に応じた課金の支払いが行なわれたか否かを検知する（Ｓ１５）。課金の支払いがなされれば（Ｓ１５において、ＹＥＳ）、画像形成の要求に応じて、画像を形成する（Ｓ１６）。すなわち、画像形成部１６により、著作物の一部の画像の形成を行う。
【００２１】
このように構成することにより、ユーザが著作物の一部の画像を形成するに際し、適切な課金額で画像を形成することができる。すなわち、ユーザの要求する必要な領域のみについて、適切な課金額で画像を形成することができる。したがって、ユーザの要求に応じて、より適切に著作物の画像を形成することができる。
【００２２】
一方、画像形成の要求が著作物の一部ではない場合（Ｓ１３において、ＮＯ）、すなわち、著作物の画像の全体である場合には、課金額を変更せず、課金の支払いがなされたか否かの判断を行う（Ｓ１７）。課金の支払いがなされれば（Ｓ１７において、ＹＥＳ）、画像形成の要求に応じて画像を形成する。この場合、著作物の画像の全体について、画像の形成を行う。
【００２３】
なお、上記の実施の形態において、著作物の画像の全体のうち、課金額に応じて画像形成の可能な領域を表示することとしてもよい。図３は、この場合における表示画面２３の一例を示す図である。図３中、ハッチング部分で著作物の画像の全体を示している。図３を参照して、操作部１３の表示画面２３には、著作物の画像２５の全体と、図３中の点線で示す画像形成の可能な領域２６とが表示されている。こうすることにより、著作物の画像２５の全体のうち、どの領域の画像を形成するかを確認することができる。したがって、よりユーザの要求に応じた著作物の一部の画像の形成が可能になる。
【００２４】
なお、課金装置２４による課金の支払い額を増加させていくに従い、点線の領域２６が、拡大していくように構成してもよい。すなわち、課金額が増額されるに従い、著作物の画像を形成可能な領域を拡大していくようにする。こうすることにより、より適切にユーザの要求する画像を形成することができる。
【００２５】
また、この場合、点線で示す領域をユーザが指定することができるようにしてもよい。すなわち、デジタル複合機１０は、著作物の画像の全体のうち、画像を形成する領域を指定させる指定手段を備えることとしてもよい。この場合、例えば、操作部１３のキー（図示せず）を操作して、図３中の点線で示す領域２６を拡張させたり、上下左右方向に移動させるようにする。こうすることにより、著作物の画像の全体のうち、ユーザの所望の領域の画像を形成することができる。
【００２６】
なお、上記の実施の形態においては、予めハードディスクに格納された複数の著作物の画像に基づいて、画像読取り部により読取った画像の中に著作物があるか否かを識別することしたが、これに限らず、ユーザの設定により、原稿の画像の中に著作物の画像があることを識別することにしてもよい。
【００２７】
また、上記の実施の形態においては、著作物の画像を含む原稿を画像読取り部により読取って画像を形成することとしたが、これに限らず、ハードディスクに格納された著作物の画像を含む画像データやネットワーク経由でデジタル複合機に送信される著作物の画像を含む画像データを基に著作物の画像を形成する場合にも適用される。
【００２８】
なお、上記に実施の形態においては、著作物の画像の全体のうち、画像形成の要求がなされた著作物の画像の割合を基に課金額を変更することとしたが、これに限らず、例えば、複数の課金額を段階的に設定しておき、段階に応じて著作物の一部の画像を形成するようにしてもよい。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００３０】
【図１】この発明の一実施形態に係るデジタル複合機の全体構成を示すブロック図である。
【図２】この発明の一実施形態に係るデジタル複合機において、著作物の一部の画像を形成する場合の制御部の動作を示すフローチャートである。
【図３】著作物の画像の全体のうち、形成する領域を示した表示画面の一例を示す図である。
【符号の説明】
【００３１】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  表示画面、２４  課金装置、２５  画像、２６  領域。
【図１】
2010010935.tif 000003
【図２】
2010010935.tif 000004
【図３】
2010010935.tif 000005